(57)【要約】【課題】独自ドキュメントがＷｅｂページにて利用される頻度を高め、その掲載機会を増やすことにより、当該独自ドキュメントと共に付加ドキュメントの閲覧頻度（例えば、ページビュー（ＰＶ））を増加させる可能性のある方法を提供する。【解決手段】独自ドキュメント管理サーバ１０は、Ｗｅｂサーバ２０からのリクエストに応じて、リアルタイムに独自のドキュメントデータを生成し、送信すると共に、当該ドキュメントデータの内容に関連する広告等の付加ドキュメントをあわせて送信する。独自ドキュメント管理サーバ１０は、当該付加ドキュメントの送信回数あるいは当該付加ドキュメントに含まれるリンクのページ閲覧者による参照回数に応じて、当該付加ドキュメント作成元への課金データを作成する。【選択図】図３
2007141099.tif 000002
【特許請求の範囲】
【請求項１】
Ｗｅｂサーバに対してドキュメントデータ及び付加ドキュメントデータを送信する方法であって、
コンピュータが、前記Ｗｅｂサーバからのドキュメント要求データを受信する要求受信ステップと、
前記コンピュータが、前記ドキュメント要求データの内容を特定する要求内容特定ステップと、
前記コンピュータが、特定した前記ドキュメント要求データに応じて、前記コンピュータが管理するデータに基づいて、送信するドキュメントデータを生成するドキュメント生成ステップと、
前記コンピュータが、生成した前記ドキュメントデータの内容と、前記コンピュータが管理する複数の付加ドキュメントデータの内容と、の関連度の評価をする関連度評価ステップと、
前記コンピュータが、前記関連度の評価の結果、前記ドキュメントデータの内容と所定の関連度をもつ付加ドキュメントデータを選択する付加ドキュメント選択ステップと、
前記コンピュータが、前記ドキュメントデータ及び選択された前記付加ドキュメントデータを前記Ｗｅｂサーバに送信するデータ送信ステップと、を含む方法。
【請求項２】
前記コンピュータが、前記Ｗｅｂサーバの管理する送信先ドキュメントデータを読み出す送信先ドキュメント読み出しステップを更に含み、
前記付加ドキュメント選択ステップにおいて、前記コンピュータが、読み出した前記送信先ドキュメントデータの内容及び生成した前記ドキュメントデータの内容と、前記コンピュータが管理する複数の付加ドキュメントデータの内容と、の関連度の評価をし、前記関連度の評価の結果、前記送信先ドキュメントデータの内容及び生成した前記ドキュメントデータの内容と所定の関連度をもつ付加ドキュメントデータを選択する請求項１に記載の方法。
【請求項３】
請求項１または請求項２に記載の方法であって、
前記コンピュータが、前記付加ドキュメントデータを前記Ｗｅｂサーバへ送信した送信実績データを記憶する送信実績データ記憶ステップを含む方法。
【請求項４】
請求項１または請求項２に記載の方法であって、
前記コンピュータが、前記付加ドキュメントデータに埋め込んだリンク先へのアクセス実績データを前記Ｗｅｂサーバから受信するアクセス実績データ受信ステップと、
前記アクセス実績データを記憶するアクセス実績データ記憶ステップと、を含む方法。
【請求項５】
請求項３に記載の方法であって、
前記コンピュータが、前記送信実績データを、前記付加ドキュメントデータそれぞれについて集計データとして集計する実績データ集計ステップと、
集計した前記集計データに応じて課金データを作成する課金データ作成ステップと、を含む方法。
【請求項６】
請求項４に記載の方法であって、
前記コンピュータが、前記アクセス実績データを、前記付加ドキュメントデータそれぞれについて集計データとして集計する実績データ集計ステップと、
集計した前記集計データに応じて課金データを作成する課金データ作成ステップと、を含む方法。
【請求項７】
Ｗｅｂサーバに対してドキュメントデータ及び付加ドキュメントデータを送信するコンピュータであって、
前記Ｗｅｂサーバからのドキュメント要求データを受信する要求受信手段と、
前記ドキュメント要求データの内容を特定する要求内容特定手段と、
特定した前記ドキュメント要求データに応じて、前記コンピュータが管理するデータに基づいて、送信するドキュメントデータを生成するドキュメント生成手段と、
生成した前記ドキュメントデータの内容と、前記コンピュータが管理する複数の付加ドキュメントデータの内容と、の関連度の評価をする関連度評価手段と、
前記関連度の評価の結果、前記ドキュメントデータの内容と所定の関連度をもつ付加ドキュメントデータを選択する付加ドキュメント選択手段と、
前記ドキュメントデータ及び選択された前記付加ドキュメントデータを前記Ｗｅｂサーバに送信するデータ送信手段と、を含むコンピュータ。
【請求項８】
前記コンピュータは、前記Ｗｅｂサーバの管理する送信先ドキュメントデータを読み出す送信先ドキュメント読み出し手段を更に含み、
前記付加ドキュメント選択手段は、読み出した前記送信先ドキュメントデータの内容及び生成した前記ドキュメントデータの内容と、前記コンピュータが管理する複数の付加ドキュメントデータの内容と、の関連度の評価をし、前記関連度の評価の結果、前記送信先ドキュメントデータの内容及び生成した前記ドキュメントデータの内容と所定の関連度をもつ付加ドキュメントデータを選択する請求項７に記載のコンピュータ。
【請求項９】
請求項７または請求項８に記載のコンピュータであって、
前記付加ドキュメントデータを前記Ｗｅｂサーバへ送信した送信実績データを記憶する送信実績データ記憶手段を含むコンピュータ。
【請求項１０】
請求項７または請求項８に記載のコンピュータであって、
前記付加ドキュメントデータに埋め込んだリンク先へのアクセス実績データを前記Ｗｅｂサーバから受信するアクセス実績データ受信手段と、
前記アクセス実績データを記憶するアクセス実績データ記憶手段と、を含むコンピュータ。
【請求項１１】
請求項９に記載のコンピュータであって、
前記送信実績データを、前記付加ドキュメントデータそれぞれについて集計データとして集計する実績データ集計手段と、
集計した前記集計データに応じて課金データを作成する課金データ作成手段と、を含むコンピュータ。
【請求項１２】
請求項１０に記載のコンピュータであって、
前記アクセス実績データを、前記付加ドキュメントデータそれぞれについて集計データとして集計する実績データ集計手段と、
集計した前記集計データに応じて課金データを作成する課金データ作成手段と、を含むコンピュータ。
【発明の詳細な説明】
【技術分野】
【０００１】
本発明は、ドキュメントデータ及び当該ドキュメントと関連する付加ドキュメントデータの送信の方法及び当該方法を実現するコンピュータに関する。
【背景技術】
【０００２】
従来、ある事業者が、自らの事業内容に関する、広告や懸賞等の付加ドキュメントを、ホームページ等の公衆の目に触れる場所へ掲載することは、事業活性化の有効な手段の一つである。
【０００３】
そこで、独自ドキュメントデータを管理するＷｅｂサーバが、前記事業者より付加ドキュメントデータを受け取り、ホームページに当該付加ドキュメントを掲載するサービス方法が実施されてきた。
【０００４】
一方、前記独自ドキュメントデータを管理する側は、前記付加ドキュメントを、より多数の目に触れさせることで、前記事業者に対する広告料等の課金増が期待できるため、当該独自ドキュメントの利用価値、及び利用の簡便さの向上を図っている。
【０００５】
このような状況において、例えば、Ｗｅｂサーバが管理するホームページにおいて、独自ドキュメントデータを管理する所定のＷｅｂサーバへのリンクを記載しておくことにより、随時ユーザの閲覧に供するために、当該独自ドキュメントデータを当該ユーザのクライアント端末に送信する技術が知られている。
【０００６】
具体的には、当該ホームページを表示したクライアント端末において、当該クライアント端末のユーザが当該リンクをクリックすると、今度は当該独自ドキュメントデータを管理する所定のＷｅｂサーバにドキュメント送信リクエストが送信される。そして、当該所定のＷｅｂサーバは、当該クライアント端末へ当該リンクに応じたドキュメントデータを送信する。
【０００７】
このように、ユーザによるクリック動作に伴うＷｅｂドキュメントの当該クライアント端末への送信は、Ｗｅｂの基本技術であるハイパーリンクを用いて実現されている。
【０００８】
このようにして、例えば、ゴルフ場に関するホームページに、その住所に応じた天気予報に関するホームページのリンクを記載しておくと、ユーザは、そのリンクをクリックしただけで、当該天気予報のホームページの内容を閲覧することができる。
【０００９】
その結果、上述のような様々なＷｅｂサーバからのクライアント端末へのドキュメントデータの送信は、ドキュメントを送信するＷｅｂサーバがユーザのクリック動作に応じて変化する度に、当該クライアント端末の表示内容を一変させることになる。
【００１０】
そして、リンクによるクライアント端末の表示内容の自在な変化は、ドキュメントを探索するユーザにとって便利である反面、首尾一貫した表示内容を望むユーザを混乱させる可能性がある。
【００１１】
一方で、Ｗｅｂサーバが管理するホームページにおいて、あらかじめ広告配信サービスを提供する所定のＷｅｂサーバへのリンクを記載することにより、当該ホームページの内容に基づく広告を配信する方法が知られている。
【００１２】
具体的には、例えば、ゴルフ場が運営するホームページにおいて、あらかじめ広告配信サービスを提供するＷｅｂサーバへのリンクを記載しておくと、当該広告配信サービスを管理するコンピュータは、当該ゴルフ場が運営するホームページの内容を読み出して分析する。
【００１３】
そして、ユーザが当該ゴルフ場のホームページを閲覧するためのリクエストを、当該ホームページを管理するＷｅｂサーバが受け付けたことに応じて、当該広告配信サービスを提供するＷｅｂサーバは、当該ホームページのリンクの位置に、その内容に応じた広告を表示すべく、広告データを配信する。
【００１４】
このような状況において、Ｗｅｂサーバが互いに対話することにより、様々なユーザからのサービス要求に応答する技術が提案されている。例えば、特許文献１には、当該ユーザが要求したサービスに対応するサービステンプレートを用いたサービス提供手段が開示されている。
【００１５】
このようなＷｅｂサーバ同士の対話は、具体的には、例えばＸＭＬを用いたＷｅｂサービス技術によって実現されている。このようなＷｅｂサービス技術によれば、ユーザが閲覧しているドキュメントを管理しているＷｅｂサーバが、適宜必要なドキュメントを他のＷｅｂサーバから獲得して首尾一貫性を持って当該ユーザに表示することができる。
【００１６】
上述の例においては、ゴルフ場に関するホームページの一部に、その住所に応じた天気予報の情報を、別のＷｅｂサーバから獲得してきて表示させることができる。即ち、画面のレイアウト等を一変させることもなく、またユーザによるクリック操作を媒介せずに複数のドキュメントソースからの情報を一つのホームページにまとめなおして表示することができる。
【特許文献１】特開２００５−１９６６７６号公報
【発明の開示】
【発明が解決しようとする課題】
【００１７】
しかしながら、別のサーバで管理する独自ドキュメントを利用したいＷｅｂサーバの運営者は、事前に利用の契約をしたり、あるいは利用の対価を払ったりする必要があり、利用の簡便さを損ねることがある。そのため、当該独自ドキュメントを管理する側は、潜在的な当該独自ドキュメントの掲載機会を失っている可能性がある。
【００１８】
このような、当該Ｗｅｂサーバの運営者の手順を削減することで、当該独自ドキュメントの利用頻度を高め、その掲載機会を増やすことにより、当該独自ドキュメントと共に前記付加ドキュメントの閲覧頻度（例えば、ページビュー（ＰＶ））を増加させる可能性のある方法は提供されていない。
【課題を解決するための手段】
【００１９】
そこで本発明は、Ｗｅｂサーバに対して、独自ドキュメントデータを送信すると共に、送信する当該ドキュメントデータの内容に関連する広告等の付加ドキュメントをあわせて送信する方法、及び、当該付加ドキュメントの送信回数あるいは当該付加ドキュメントに含まれるリンクのページ閲覧者による参照回数に応じて課金する方法、を提供する。具体的には、次のようなものを提供する。
【００２０】
（１）  Ｗｅｂサーバに対してドキュメントデータ及び付加ドキュメントデータを送信する方法であって、
コンピュータが、前記Ｗｅｂサーバからのドキュメント要求データを受信する要求受信ステップ（ＸＭＬによるＷｅｂサービス要求データの受信）と、
前記コンピュータが、前記ドキュメント要求データの内容を特定する要求内容特定ステップ（ＸＭＬパーサによるＸＭＬデータの読み出し）と、
前記コンピュータが、特定した前記ドキュメント要求データに応じて、前記コンピュータが管理するデータに基づいて、送信するドキュメントデータを生成するドキュメント生成ステップと、
前記コンピュータが、生成した前記ドキュメントデータの内容と、前記コンピュータが管理する複数の付加ドキュメントデータの内容と、の関連度の評価をする関連度評価ステップと、
前記コンピュータが、前記関連度の評価の結果、前記ドキュメントデータの内容と所定の関連度をもつ付加ドキュメントデータを選択する付加ドキュメント選択ステップと、
前記コンピュータが、前記ドキュメントデータ及び選択された前記付加ドキュメントデータを前記Ｗｅｂサーバに送信するデータ送信ステップと、を含む方法。
【００２１】
（１）の発明によれば、当該コンピュータは、Ｗｅｂサーバからドキュメント要求データを受信し、当該ドキュメント要求データの内容を特定し、特定した当該ドキュメント要求データに応じて、当該コンピュータが管理するデータに基づいて、送信するドキュメントデータを生成し、生成した当該ドキュメントデータの内容と、当該コンピュータが管理する複数の付加ドキュメントデータと、の関連度の評価をし、当該関連度の評価の結果、当該ドキュメントデータの内容と所定の関連度をもつ付加ドキュメントデータを選択し、当該ドキュメントデータ及び選択した当該付加ドキュメントデータを前記Ｗｅｂサーバに送信する。
【００２２】
このことにより、当該コンピュータは、ドキュメントデータを当該Ｗｅｂサーバに送信すると共に、送信する当該ドキュメントデータの内容に関連する付加ドキュメントデータを送信することができる。
【００２３】
その結果、当該コンピュータは、当該Ｗｅｂサーバからのリクエストに応じてリアルタイムに生成し、送信するドキュメントデータの内容に関連する付加ドキュメントデータを当該Ｗｅｂサーバに送信することができる。
【００２４】
この方法により、当該Ｗｅｂサーバの運営側から見れば、当該コンピュータに対して随時ドキュメントデータのリクエストを送信するだけで、自らのＷｅｂサーバが管理するホームページに当該ドキュメントデータが表すドキュメントを埋め込んでクライアントに送信することができる。
【００２５】
一方、ドキュメントを配信する側から見れば、当該コンピュータは、リアルタイムに生成されて送信されるドキュメントデータの内容に関連する付加ドキュメントデータを配信することができる。例えば、広告、懸賞、関連記事など様々な付加ドキュメントをあわせて送信することができる。
【００２６】
（２）  前記コンピュータが、前記Ｗｅｂサーバの管理する送信先ドキュメントデータを読み出す送信先ドキュメント読み出しステップを更に含み、
前記付加ドキュメント選択ステップにおいて、前記コンピュータが、読み出した前記送信先ドキュメントデータの内容及び生成した前記ドキュメントデータの内容と、前記コンピュータが管理する複数の付加ドキュメントデータの内容と、の関連度の評価をし、前記関連度の評価の結果、前記送信先ドキュメントデータの内容及び生成した前記ドキュメントデータの内容と所定の関連度をもつ付加ドキュメントデータを選択する（１）に記載の方法。
【００２７】
（２）の発明によれば、当該コンピュータは、送信先ドキュメントデータを読み出し、読み出した当該送信先ドキュメントデータの内容及び生成した当該ドキュメントデータの内容と、当該コンピュータが管理する複数の付加ドキュメントデータとの関連度の評価をし、当該関連度の評価の結果、当該送信先ドキュメントの内容及び生成した当該ドキュメントデータの内容と所定の関連度をもつ付加ドキュメントデータを選択することができる。
【００２８】
このことにより、当該コンピュータが送信する付加ドキュメントデータは、生成した当該ドキュメントデータの内容と、送信先ドキュメントデータの内容と、の双方に関連するものとすることができる。
【００２９】
その結果、当該コンピュータは、ドキュメント要求データを送信したＷｅｂサーバがクライアントに送信するドキュメントデータの内容により関連のある付加ドキュメントデータを送信することができる。
【００３０】
（３）  （１）または（２）に記載の方法であって、
前記コンピュータが、前記付加ドキュメントデータを前記Ｗｅｂサーバへ送信した送信実績データを記憶する送信実績データ記憶ステップを含む方法。
【００３１】
（３）の発明によれば、当該コンピュータは、当該付加ドキュメントデータをＷｅｂサーバへ送信した実績を記憶する。
【００３２】
このことにより、当該コンピュータは、自身が管理する付加ドキュメントデータを、ホームページ上に表示させた実績を記憶できる。
【００３３】
（４）  （１）または（２）に記載の方法であって、
前記コンピュータが、前記付加ドキュメントデータに埋め込んだリンク先へのアクセス実績データを前記Ｗｅｂサーバから受信するアクセス実績データ受信ステップと、
前記アクセス実績データを記憶するアクセス実績データ記憶ステップと、を含む方法。
【００３４】
（４）の発明によれば、当該コンピュータは、付加ドキュメントデータに埋め込んだリンク先へのアクセス実績を受信し、当該アクセス実績データを記憶する。
【００３５】
このことにより、当該コンピュータは、自身が管理する付加ドキュメントデータに埋め込んだリンク先へのアクセス実績を記憶できる。
【００３６】
（５）  （３）に記載の方法であって、
前記コンピュータが、前記送信実績データを、前記付加ドキュメントデータそれぞれについて集計データとして集計する実績データ集計ステップと、
集計した前記集計データに応じて課金データを作成する課金データ作成ステップと、を含む方法。
【００３７】
（５）の発明によれば、当該コンピュータは、当該送信実績データを、当該付加ドキュメントデータそれぞれについて集計し、その集計結果に応じて課金データを作成する。
【００３８】
この方法によれば、当該コンピュータの運営者は、当該Ｗｅｂサーバの運営者に対してコンテンツ提供契約等の特別な契約抜きに、当該ドキュメントデータ及び広告や懸賞等の付加ドキュメントを随時提供する仕組みをオープンにしておいてもよい。
【００３９】
ここで、当該提供するドキュメントの対価は、当該Ｗｅｂサーバの運営者からではなく、広告や懸賞等の付加ドキュメントの提供に応じて、当該広告や懸賞等の作成元（広告主等）から徴収することとしてもよい。
【００４０】
このことにより、当該コンピュータは、Ｗｅｂサーバの運営者に対する利用認可手順を踏むことなく、あるいは、当該Ｗｅｂサーバの運営者に課金することなく、当該Ｗｅｂサーバに対してドキュメントを送信し、付加ドキュメントの表示数集計に応じて、当該付加ドキュメントの作成元（広告主等）に対して課金できる。
【００４１】
この方法により、当該Ｗｅｂサーバの運営側から見れば、当該コンピュータに対して事前の利用登録や利用に対する対価を払うといった煩雑な手続きを行うことなく、随時ドキュメントデータのリクエストを送信するだけで、自らのＷｅｂサーバが管理するホームページに、当該ドキュメントデータが表すドキュメントを埋め込んでクライアントに送信することができる。
【００４２】
その結果、ドキュメントを配信する側、あるいは、付加ドキュメントの作成元（広告主等）から見れば、当該ドキュメントの利用・参照機会増加の可能性があり、それに伴い、当該付加ドキュメント（広告等）を提示するホームページ数増加の可能性がある。
【００４３】
（６）  （４）に記載の方法であって、
前記コンピュータが、前記アクセス実績データを、前記付加ドキュメントデータそれぞれについて集計データとして集計する実績データ集計ステップと、
集計した前記集計データに応じて課金データを作成する課金データ作成ステップと、を含む方法。
【００４４】
（６）の発明によれば、当該コンピュータは、当該アクセス実績データを、当該付加ドキュメントデータそれぞれについて集計し、その集計結果に応じて課金データを作成する。
【００４５】
このことにより、当該コンピュータは、Ｗｅｂサーバの運営者に対する利用認可手順を踏むことなく、あるいは、当該Ｗｅｂサーバの運営者に課金することなく、当該Ｗｅｂサーバに対してドキュメントを送信し、付加ドキュメントに含まれるリンク先へのアクセス数集計に応じて、当該付加ドキュメントの作成元（広告主等）に対して課金できる。
【００４６】
この方法により、（５）と同様の効果が期待できる。
【００４７】
（７）  Ｗｅｂサーバに対してドキュメントデータ及び付加ドキュメントデータを送信するコンピュータであって、
前記Ｗｅｂサーバからのドキュメント要求データを受信する要求受信手段（ＸＭＬによるＷｅｂサービス要求データの受信）と、
前記ドキュメント要求データの内容を特定する要求内容特定手段（ＸＭＬパーサによるＸＭＬデータの読み出し）と、
特定した前記ドキュメント要求データに応じて、前記コンピュータが管理するデータに基づいて、送信するドキュメントデータを生成するドキュメント生成手段と、
生成した前記ドキュメントデータの内容と、前記コンピュータが管理する複数の付加ドキュメントデータの内容と、の関連度の評価をする関連度評価手段と、
前記関連度の評価の結果、前記ドキュメントデータの内容と所定の関連度をもつ付加ドキュメントデータを選択する付加ドキュメント選択手段と、
前記ドキュメントデータ及び選択された前記付加ドキュメントデータを前記Ｗｅｂサーバに送信するデータ送信手段と、を含むコンピュータ。
【００４８】
（７）の発明によれば、当該コンピュータを運用することにより、（１）と同様の効果が期待できる。
【００４９】
（８）  前記コンピュータは、前記Ｗｅｂサーバの管理する送信先ドキュメントデータを読み出す送信先ドキュメント読み出し手段を更に含み、
前記付加ドキュメント選択手段は、読み出した前記送信先ドキュメントデータの内容及び生成した前記ドキュメントデータの内容と、前記コンピュータが管理する複数の付加ドキュメントデータの内容と、の関連度の評価をし、前記関連度の評価の結果、前記送信先ドキュメントデータの内容及び生成した前記ドキュメントデータの内容と所定の関連度をもつ付加ドキュメントデータを選択する（７）に記載のコンピュータ。
【００５０】
（８）の発明によれば、当該コンピュータを運用することにより、（２）と同様の効果が期待できる。
【００５１】
（９）  （７）または（８）に記載のコンピュータであって、
前記付加ドキュメントデータを前記Ｗｅｂサーバへ送信した送信実績データを記憶する送信実績データ記憶手段を含むコンピュータ。
【００５２】
（９）の発明によれば、当該コンピュータを運用することにより、（３）と同様の効果が期待できる。
【００５３】
（１０）  （７）または（８）に記載のコンピュータであって、
前記付加ドキュメントデータに埋め込んだリンク先へのアクセス実績データを前記Ｗｅｂサーバから受信するアクセス実績データ受信手段と、
前記アクセス実績データを記憶するアクセス実績データ記憶手段と、を含むコンピュータ。
【００５４】
（１０）の発明によれば、当該コンピュータを運用することにより、（４）と同様の効果が期待できる。
【００５５】
（１１）  （９）に記載のコンピュータであって、
前記送信実績データを、前記付加ドキュメントデータそれぞれについて集計データとして集計する実績データ集計手段と、
集計した前記集計データに応じて課金データを作成する課金データ作成手段と、を含むコンピュータ。
【００５６】
（１１）の発明によれば、当該コンピュータを運用することにより、（５）と同様の効果が期待できる。
【００５７】
（１２）  （１０）に記載のコンピュータであって、
前記アクセス実績データを、前記付加ドキュメントデータそれぞれについて集計データとして集計する実績データ集計手段と、
集計した前記集計データに応じて課金データを作成する課金データ作成手段と、を含むコンピュータ。
【００５８】
（１２）の発明によれば、当該コンピュータを運用することにより、（６）と同様の効果が期待できる。
【発明の効果】
【００５９】
本発明によれば、Ｗｅｂサーバからのリクエストに応じてリアルタイムに生成し、送信する独自ドキュメントデータの内容に関連する付加ドキュメントデータを、当該Ｗｅｂサーバに送信することができる。
【００６０】
このことにより、当該Ｗｅｂサーバの運営者は、事前の利用登録や利用に対する対価を払うといった煩雑な手続きを行うことなく、随時ドキュメントデータのリクエストを送信するだけで、自らのＷｅｂサーバが管理するホームページに、当該ドキュメントデータが表すドキュメントを埋め込んでクライアントに送信することができる。
【００６１】
その結果、当該独自ドキュメントが利用・参照される機会が増加する可能性があり、それに伴い、当該付加ドキュメントの閲覧頻度（例えば、ページビュー（ＰＶ））が増加する可能性、更には当該付加ドキュメントに含まれるリンクの参照頻度が増加する可能性がある。
【発明を実施するための最良の形態】
【００６２】
本発明に係る好適な実施形態の一例について、上記付加ドキュメントが広告である場合について、図面に基づいて以下に説明する。
【００６３】
［システムの全体構成］
図１は、本発明の好適な実施形態の一例に係るコンピュータ演算処理方法を実現するコンピュータシステム１の全体構成を示す概念図である。独自ドキュメント管理サーバ１０と、Ｗｅｂサーバ２０と、広告サーバ３０ａ、３０ｂと、クライアント端末４０ａ、４０ｂと、は通信ネットワーク５０（インターネット、ＬＡＮ等）を介して接続されている。なお、広告サーバ３０ａ、３０ｂの数はこれに限られない。また、クライアント端末４０ａ、４０ｂの数はこれに限られない。
【００６４】
独自ドキュメント管理サーバ１０は、天気予報、地図、路線等、のドキュメントデータ、及び、種々の広告データを管理している。なお、独自ドキュメント管理サーバ１０の数はこれに限られず、管理するドキュメントデータの種類に応じて、複数配置できる。
【００６５】
Ｗｅｂサーバ２０は、ユーザによりクライアント端末４０ａ、４０ｂから閲覧されるホームページを管理し、独自ドキュメント管理サーバ１０が管理する種々のデータを、通信ネットワーク５０を介して参照したり、データの送信を受けたりすることができる。
【００６６】
［独自ドキュメント管理サーバの構成］
図２は、本発明の好適な実施形態の一例に係るコンピュータシステム１を構成する、独自ドキュメント管理サーバ１０の構成を示すブロック図である。制御部１１０、記憶部１２０、入力部１３０、表示部１４０、通信制御部１５０は、バス１６０を介して接続されている。
【００６７】
制御部１１０は、情報の演算、処理を行う情報演算処理装置（ＣＰＵ）であり、独自ドキュメント管理サーバ１０全体の制御を行う。制御部１１０は、記憶部１２０に記憶された各種プログラムを適宜読み出して実行することにより、上述のハードウエアと協働し、本発明に係る各種機能を実現している。
【００６８】
記憶部１２０は、制御部１１０と組み合わせてプログラムの実行に使用するローカルメモリ、大容量のバルクメモリ、および当該バルクメモリの検索を効率的に行うために使用するキャッシュメモリを含んでよい。記憶部１２０を実現するコンピュータ可読媒体としては、電気的、磁気的、光学的、電磁的に実現するものを含んでよい。より具体的には、半導体記憶装置、磁気テープ、フロッピー（登録商標）ディスク、ランダム・アクセス・メモリ（ＲＡＭ）、リードオンリー・メモリ（ＲＯＭ）、ＣＤ−ＲＯＭとＣＤ−Ｒ／ＷとＤＶＤとを含む光ディスクが含まれる。
【００６９】
入力部１３０は、ユーザによる入力の受付を行うものであり、キーボード、ポインティングデバイス等を含んでよい。入力部１３０は、直接または介在Ｉ／Ｏコントローラを介して独自ドキュメント管理サーバ１０と接続することができる。
【００７０】
表示部１４０は、ユーザにデータの入力を受け付ける画面を表示したり、独自ドキュメント管理サーバ１０による演算処理結果の画面を表示したりするものであり、ブラウン管表示装置（ＣＲＴ）、液晶表示装置（ＬＣＤ）等のディスプレイ装置を含む。
【００７１】
通信制御部１５０は、独自ドキュメント管理サーバ１０を専用ネットワークまたは公共ネットワークを介して別の演算処理システムまたは記憶装置と接続できるようにするためのネットワーク・アダプタである。通信制御部１５０は、モデム、ケーブル・モデムおよびイーサネット（登録商標）・アダプタを含んでよい。
【００７２】
［Ｗｅｂサーバ、広告サーバの構成］
図１のＷｅｂサーバ２０及び広告サーバ３０ａ、３０ｂは、上記図２と同様の構成を持つ。
【００７３】
［クライアント端末の構成］
図１のクライアント端末４０ａ、４０ｂは、上記図２と同様の構成を持ち、記憶部１２０には、Ｗｅｂサーバ２０により提供されるホームページを、表示部１４０に表示するための、閲覧プログラムが格納されている。
【００７４】
［通信ネットワークの構成］
また、通信ネットワーク５０は、専用線、モデムやターミナルアダプタを介して接続するダイヤルアップネットワーク、ＡＤＳＬ、光ケーブルによるものを含む有線によるネットワークにより実現してもよい。また、無線ＬＡＮ、携帯電話等の携帯端末向け無線ネットワークを含む無線によるネットワークにより実現してもよい。
【００７５】
また、通信ネットワーク５０を実現するための通信プロトコルとしては、ＴＣＰ／ＩＰ等のインターネットプロトコルをはじめとして、本発明を実施するために必要な情報通信を実現する様々な通信プロトコルが採用されてよい。さらに、ＳＯＡＰ（Ｓｉｍｐｌｅ  Ｏｂｊｅｃｔ  Ａｃｃｅｓｓ  Ｐｒｏｔｏｃｏｌ）等のＷｅｂサービス用のプロトコルを用いて実現してもよい。
【００７６】
［広告配信を伴うドキュメント表示の概念図］
図３は、本発明の好適な実施形態の一例に係るコンピュータシステム１における、広告配信を伴うドキュメント表示方法を示す概念図である。
【００７７】
独自ドキュメント管理サーバ１０は、Ｗｅｂサーバ２０からの要求に応じて、自身が管理する独自ドキュメントデータと、広告サーバから受信し管理する広告データと、を組み合わせ、埋込ドキュメントデータを生成する。
【００７８】
Ｗｅｂサーバ２０は、クライアント端末４０ａ、４０ｂからの要求に応じて、自身が管理するドキュメントデータと、独自ドキュメント管理サーバ１０に対して要求した埋込ドキュメントデータと、を組み合わせ、ページドキュメントデータを生成する。
【００７９】
クライアント端末４０ａ、４０ｂは、Ｗｅｂサーバ２０に対して要求したページドキュメントデータを受け取り、画面表示によりユーザに提示する。
【００８０】
次に、Ｗｅｂサーバ２０を介して、広告に埋め込まれた広告サーバへのリンクのクリックを受け付けると、広告サーバ３０ａ、３０ｂは、クライアント端末４０ａ、４０ｂに対して、広告サーバ３０ａ、３０ｂが管理するホームページデータを送信する。
【００８１】
このとき、Ｗｅｂサーバ２０は、広告サーバ３０ａ、３０ｂに対してページドキュメントの要求をすると共に、独自ドキュメント管理サーバ１０に対して、当該広告へのアクセス実績データを送信する。
【００８２】
独自ドキュメント管理サーバ１０は、上記アクセス実績データを収集し、広告サーバ３０ａ、３０ｂに対して課金データを送信する。
【００８３】
［ドキュメント表示処理フロー］
図４は、本発明の好適な実施形態の一例に係るコンピュータシステム１における、広告配信を伴うドキュメント表示方法を示すフロー図である。
【００８４】
ステップＳ１００では、クライアント端末４０ａ、４０ｂは、ユーザからのページ要求（リンクのクリック等）を契機として、Ｗｅｂサーバ２０に対して、ページドキュメントの送信を要求する。この処理が終了した場合は、ステップＳ１０５に処理を移し、クライアント端末４０ａ、４０ｂは、Ｗｅｂサーバ２０からの応答があるまで処理を待機する。
【００８５】
ステップＳ１０５では、Ｗｅｂサーバ２０は、クライアント端末４０ａ、４０ｂからのページドキュメント要求を受信する。この処理が終了した場合は、ステップＳ１１０に処理を移す。
【００８６】
ステップＳ１１０では、Ｗｅｂサーバ２０は、ホームページに表示するためのページドキュメントデータ（独自ドキュメントを除く）を生成し、独自ドキュメント（天気予報、地図、路線等の情報ドキュメント）の挿入場所を確保する。この処理が終了した場合は、ステップＳ１１５に処理を移す。
【００８７】
ステップＳ１１５では、Ｗｅｂサーバ２０は、独自ドキュメント管理サーバ１０に対し、独自ドキュメントの送信を要求する。この処理が終了した場合は、ステップＳ１２０に処理を移し、Ｗｅｂサーバ２０は、独自ドキュメント管理サーバ１０からの応答があるまで処理を待機する。
【００８８】
ステップＳ１２０では、独自ドキュメント管理サーバ１０は、Ｗｅｂサーバ２０からの独自ドキュメント要求を受信する。具体的には、独自ドキュメント管理サーバ１０の制御部１１０にて実行されるＷｅｂサービスは、Ｗｅｂサーバ２０からの独自ドキュメント要求データを、通信制御部１５０を介してＸＭＬにて受信する（要求受信手段）。この処理が終了した場合は、ステップＳ１２５に処理を移す。
【００８９】
ステップＳ１２５では、独自ドキュメント管理サーバ１０は、上記独自ドキュメント要求の内容を特定する。具体的には、独自ドキュメント管理サーバ１０の制御部１１０にて実行されるＷｅｂサービスは、受信したＸＭＬデータから、ＸＭＬパーサを介して、要求データを読み出す（要求内容特定手段）。この処理が終了した場合は、ステップＳ１３０に処理を移す。
【００９０】
ステップＳ１３０では、独自ドキュメント管理サーバ１０は、独自ドキュメントデータ（広告を除く）を生成し、広告の挿入場所を確保する。具体的には、ステップＳ１２５にて特定した要求データ（パラメータ）に応じて、独自ドキュメント管理サーバ１０の制御部１１０にて実行されるＷｅｂサービスは、記憶部１２０に記憶する独自ドキュメントデータベースより、適宜データを検索・抽出・合成し、Ｗｅｂサーバ２０に送信する独自ドキュメントデータを生成する（ドキュメント生成手段）。この処理が終了した場合は、ステップＳ１３５に処理を移す。
【００９１】
ステップＳ１３５では、独自ドキュメント管理サーバ１０は、ステップＳ１３０にて生成した独自ドキュメントデータと、独自ドキュメント管理サーバ１０が管理する広告データと、の関連度の評価をする。
【００９２】
具体的には、例えば、独自ドキュメント管理サーバ１０の制御部１１０は、上記独自ドキュメントに含まれる主要な単語（表題、見出し、画像説明等）を抽出する。続いて、独自ドキュメント管理サーバ１０の制御部１１０は、例えば記憶部１２０に格納する図５に示す広告検索テーブル６０を参照し、各広告に対応するカテゴリフィールドのデータ、あるいはキーワードフィールドのデータが、それぞれ上記単語と一致するか否かを判別する。そして、一致する場合には当該広告に対する関連度評価点を加算する。このとき、例えばカテゴリフィールドについては２倍、表題要素（＜ｔｉｔｌｅ＞タグ）については３倍、といった重み付けを行うとしてもよい。このような、ステップＳ１３５における一連の処理により、関連度評価手段を実現している。
【００９３】
なお、ステップＳ１３５における関連度評価では、上記独自ドキュメント、あるいはＷｅｂサーバ２０にて管理するページドキュメントを使用するとしても良い。上記独自ドキュメントを使用した場合は、上記独自ドキュメントに関連する広告の評価が高く、上記ページドキュメントを使用した場合は、上記ページドキュメントに関連する広告の評価が高くなる。
【００９４】
この場合、独自ドキュメント管理サーバ１０の制御部１１０は、ステップＳ１２０の独自ドキュメント要求受信の際、あわせてＷｅｂサーバ２０が管理するページドキュメントを要求し、Ｗｅｂサーバ２０が送信するページドキュメントデータを、通信制御部１５０を介して受け取る（送信先ドキュメント読み出し手段）。
【００９５】
また、ステップＳ１３５における関連度評価は、上記独自ドキュメント及び上記ページドキュメントの両方により評価するとしてもよい。この処理が終了した場合は、ステップＳ１４０に処理を移す。
【００９６】
ステップＳ１４０では、独自ドキュメント管理サーバ１０の制御部１１０は、ステップＳ１３５にて評価した結果から、所定の関連度をもつ広告データを選択（付加ドキュメント選択手段）し、独自ドキュメントデータに挿入する。この処理が終了した場合は、ステップＳ１４５に処理を移す。
【００９７】
なお、当該付加ドキュメント選択手段は、選択対象とする、所定の関連度をもつ広告として、あらかじめ決めておいた前記関連度評価点以上のものを全て選択することとしてもよいし、前記関連度評価点の上位から既定数を選択することとしてもよい。また、あらかじめ広告データに選択優先順位を付与しておき、既定の前記関連度評価点を有する広告データの内、前記選択優先順位の上位から既定数を選択することとしてもよい。
【００９８】
ステップＳ１４５では、独自ドキュメント管理サーバ１０の制御部１１０は、ステップＳ１４０にて生成した広告データを含む独自ドキュメントデータを、通信制御部１５０を介して、Ｗｅｂサーバ２０に送信する（データ送信手段）。この処理が終了した場合は、ステップＳ１５０に処理を移す。
【００９９】
ステップＳ１５０では、Ｗｅｂサーバ２０は、ステップＳ１４５にて送信された独自ドキュメントデータを受信し、ページドキュメントデータに挿入する。この処理が終了した場合は、ステップＳ１５５に処理を移す。
【０１００】
ステップＳ１５５では、Ｗｅｂサーバ２０は、ステップＳ１５０にて生成した独自ドキュメントデータを含むページドキュメントデータを、クライアント端末４０ａ、４０ｂに送信する。この処理が終了した場合は、ステップＳ１６０に処理を移す。
【０１０１】
ステップＳ１６０では、クライアント端末４０ａ、４０ｂは、ステップＳ１５５にて送信されたページドキュメントデータを受信する。この処理が終了した場合は、ステップＳ１６５に処理を移す。
【０１０２】
ステップＳ１６５では、クライアント端末４０ａ、４０ｂは、ステップＳ１６０にて受信したページドキュメントデータにより、例えば図６に示すように、ホームページ７０の表示を行う。
【０１０３】
なお、ホームページ７０は、例えば、ページドキュメント表示部７１０と、埋込ドキュメント表示部７２０と、から成り、更に、埋込ドキュメント表示部７２０は、例えば、埋込独自ドキュメント表示部７２１と、広告表示部７２２と、から成る。
【０１０４】
ページドキュメント表示部７１０には、Ｗｅｂサーバ２０にて管理されるページドキュメントを表示する。埋込独自ドキュメント表示部７２１には、独自ドキュメント管理サーバ１０にて管理される独自ドキュメントを表示し、広告表示部７２２には、独自ドキュメント管理サーバ１０にて選択した、上記ページドキュメント、あるいは上記独自ドキュメントに関連した広告を表示する。
【０１０５】
ここで、例えば、ユーザから埋込独自ドキュメント表示部７２１のクリック、または詳細リンクのクリックを受け付けることで、クライアント端末４０ａ、４０ｂは、独自ドキュメント管理サーバ１０が管理するホームページに、表示を変えることとしてもよい。
【０１０６】
［広告アクセス処理フロー］
図７は、本発明の好適な実施形態の一例に係るコンピュータシステム１における、広告アクセスに関する処理を示すフロー図である。
【０１０７】
ステップＳ２００では、ユーザによる広告のクリック等を契機として、Ｗｅｂサーバ２０へ、当該広告サイトのページ要求を送信する。
【０１０８】
Ｗｅｂサーバ２０は、広告サイトのページ要求を受け付けることで、広告サーバ３０ａ、３０ｂに対しページ要求を送信（ステップＳ２０５）すると共に、独自ドキュメント管理サーバ１０に対し、当該広告へのアクセス実績データを送信（ステップＳ２２５）する。独自ドキュメント管理サーバ１０の制御部１１０は、通信制御部１５０を介して、上記アクセス実績データを受け取る（アクセス実績データ受信手段）。
【０１０９】
ステップＳ２１０では、広告サーバ３０ａ、３０ｂは、ステップＳ２０５のページ要求を受け付け、自身が管理するホームページドキュメントを生成する。
【０１１０】
ステップＳ２１５では、広告サーバ３０ａ、３０ｂは、ステップＳ２１０にて生成したホームページドキュメントを、クライアント端末４０ａ、４０ｂに対して送信する。
【０１１１】
ステップＳ２２０では、クライアント端末４０ａ、４０ｂは、ステップＳ２１５の送信データに基づき、画面表示を行う。
【０１１２】
ステップＳ２３０では、独自ドキュメント管理サーバ１０は、ステップＳ２２５のアクセス実績データを受け取り、当該アクセス実績データの記憶を行う。具体的には、独自ドキュメント管理サーバ１０の制御部１１０は、アクセス実績データを受け取る毎に、例えば記憶部１２０に保存してあるアクセス実績データテーブル８０（図９）に対し、日時データ、広告ＩＤ、掲載先ＵＲＬデータを記憶する（アクセス実績データ記憶手段）。
【０１１３】
［課金処理フロー］
図８は、本発明の好適な実施形態の一例に係るコンピュータシステム１における、課金処理を示すフロー図である。
【０１１４】
ステップＳ３００では、独自ドキュメント管理サーバ１０は、既定の期間が経過する毎（日次、月次等）に、管理する広告それぞれについてのアクセス実績数を集計する。具体的には、独自ドキュメント管理サーバ１０の制御部１１０は、例えば、ステップＳ２３０（図７）にて記憶したアクセス実績データを、記憶部１２０のアクセス実績データテーブル８０（図９）より読み出し、日時が既定期間内であるデータ数を広告ＩＤそれぞれについてカウントする（実績データ集計手段）。
【０１１５】
ステップＳ３０５では、独自ドキュメント管理サーバ１０の制御部１１０は、当該広告それぞれについて、ステップＳ３００にて集計した当該アクセス実績数に応じた課金データを作成する（課金データ作成手段）。
【０１１６】
ステップＳ３１０では、独自ドキュメント管理サーバ１０は、当該広告それぞれについて、ステップＳ３０５にて作成した課金データを、対応する広告サーバ３０ａ、３０ｂに対して送信する。
【０１１７】
なお、課金データの作成に関して、本例では広告へのアクセス実績数に基づくとしたが、図４のステップＳ１４５において、独自ドキュメントデータを送信すると共に、独自ドキュメント管理サーバ１０の制御部１１０が、記憶部１２０のアクセス実績データテーブル８０（図９）と同様の構成を備えた送信実績データテーブル（図示しない）に送信実績データを保存する（送信実績データ記憶手段）こととしてもよい。
【０１１８】
この場合には、当該送信実績データに基づいて当該課金データを作成することになる。なお、この場合には、図７のステップＳ２３０において、アクセス実績データの記憶は必ずしも行う必要はない。
【０１１９】
このように、本発明の方法及び当該方法を実現する独自ドキュメント管理サーバ１０を用いれば、ドキュメントデータを送信すると共に、送信する当該ドキュメントデータの内容に応じた広告をあわせて送信することができる。
【０１２０】
更に、独自ドキュメント管理サーバが管理するドキュメントの利用を促進し、その結果、ドキュメントとあわせて送信する広告の提示機会増加の可能性がある。
【０１２１】
なお、上記広告は、懸賞、関連記事等、任意の付加ドキュメントに置き換えることができる。
【０１２２】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【０１２３】
【図１】本発明の好適な実施形態の一例に係るコンピュータ演算処理方法を実現するコンピュータシステム１の全体構成を示す概念図である。
【図２】本発明の好適な実施形態の一例に係るコンピュータシステム１を構成する独自ドキュメント管理サーバ１０の構成を示すブロック図である。
【図３】本発明の好適な実施形態の一例に係るコンピュータシステム１における、広告配信を伴うドキュメント表示方法を示す概念図である。
【図４】本発明の好適な実施形態の一例に係るコンピュータシステム１における、広告配信を伴うドキュメントの表示方法を示すフロー図である。
【図５】本発明の好適な実施形態の一例に係るコンピュータ演算処理方法にて参照する広告検索テーブル６０を示す図である。
【図６】本発明の好適な実施形態の一例に係るコンピュータ演算処理方法にて表示するホームページ画面例を示す図である。
【図７】本発明の好適な実施形態の一例に係るコンピュータシステム１における、広告アクセスに関する処理を示すフロー図である。
【図８】本発明の好適な実施形態の一例に係るコンピュータシステム１における、課金処理を示すフロー図である。
【図９】本発明の好適な実施形態の一例に係るコンピュータ演算処理方法にて参照するアクセス実績データテーブル８０を示す図である。
【符号の説明】
【０１２４】
１              コンピュータシステム
１０            独自ドキュメント管理サーバ
１１０          制御部
１２０          記憶部
１３０          入力部
１４０          表示部
１５０          通信制御部
１６０          バス
２０            Ｗｅｂサーバ
３０ａ、３０ｂ  広告サーバ
４０ａ、４０ｂ  クライアント端末
５０            通信ネットワーク
６０            広告検索テーブル
７０            ホームページ
７１０          ページドキュメント表示部
７２０          埋込ドキュメント表示部
７２１          埋込独自ドキュメント表示部
７２２          広告表示部
８０            アクセス実績データテーブル
【図１】
2007141099.tif 000003
【図２】
2007141099.tif 000004
【図３】
2007141099.tif 000005
【図４】
2007141099.tif 000006
【図５】
2007141099.tif 000007
【図６】
2007141099.tif 000008
【図７】
2007141099.tif 000009
【図８】
2007141099.tif 000010
【図９】
2007141099.tif 000011